(57)【要約】【課題】  表枠に大型の遊技盤を取付けることができるようにする。【解決手段】  本発明に係るパチンコ機の施錠装置は、パチンコ機の機台枠２に片開き状に取付けられた表枠３と、この表枠３に片開き状に取付けられたガラス枠５とを備え、錠本体５０を一方向に回動させてそのガラス枠５の解錠を行い、錠本体５０を逆方向に回動させて表枠３の解錠を行うパチンコ機の施錠装置であって、機台枠２に装着されており、錠本体５０の一方向の回動力を受けて施錠位置から解錠位置まで弾性力に抗してスライドし、ガラス枠５の施錠用の係合爪２１を解錠方向に移動させる第１可動錠板２３と、同じく機台枠２に装着されており、錠本体５０の逆方向の回動力を受けて施錠位置から解錠位置まで弾性力に抗してスライドし、表枠３の施錠用の係合爪３２とガラス枠５の施錠用の係合爪２１とを解錠方向に移動させる第２可動錠板２４とを有していることを特徴とする。【選択図】        図１
2006136616.tif 000002
【特許請求の範囲】
【請求項１】
パチンコ機の機台枠に片開き状に取付けられた表枠と、この表枠に片開き状に取付けられたガラス枠とを備え、錠本体を一方向に回動させてそのガラス枠の解錠を行い、前記錠本体を逆方向に回動させて表枠の解錠を行うパチンコ機の施錠装置であって、
前記機台枠に装着されており、前記錠本体の一方向の回動力を受けて施錠位置から解錠位置まで弾性力に抗してスライドし、前記ガラス枠の施錠用の係合爪を解錠方向に移動させる第１可動錠板と、
同じく前記機台枠に装着されており、前記錠本体の逆方向の回動力を受けて施錠位置から解錠位置まで弾性力に抗してスライドし、前記表枠の施錠用の係合爪と前記ガラス枠の施錠用の係合爪とを解錠方向に移動させる第２可動錠板と、
を有していることを特徴とするパチンコ機の施錠装置。
【請求項２】
請求項１に記載されたパチンコ機の施錠装置であって、
ガラス枠の施錠用の係合爪は、第１可動錠板あるいは第２可動錠板が施錠位置から解錠位置までスライドする際に前記第１可動錠板あるいは第２可動錠板と係合し、前記第１可動錠板あるいは第２可動錠板が解錠位置から施錠位置まで戻される際にその係合が解除される構成であり、
前記第１可動錠板及び第２可動錠板との係合が解除された状態で、前記ガラス枠の施錠用の係合爪は弾性力により前記解錠位置から施錠位置まで戻される構成であることを特徴とするパチンコ機の施錠装置。
【請求項３】
請求項１又は請求項２のいずれかに記載されたパチンコ機の施錠装置であって、
表枠とガラス枠との間には、前記表枠から前記ガラス枠を引き開けられるように、そのガラス枠を人力よりも弱い力で閉状態に保持可能な保持機構が設けられていることを特徴とするパチンコ機の施錠装置。
【発明の詳細な説明】
【技術分野】
【０００１】
本発明は、パチンコ機の機台枠に片開き状に取付けられた表枠と、この表枠に片開き状に取付けられたガラス枠とを備え、錠本体を一方向に回動させてそのガラス枠の解錠を行い、前記錠本体を逆方向に回動させて表枠の解錠を行うパチンコ機の施錠装置に関する。
【背景技術】
【０００２】
これに関連する従来のパチンコ機における施錠装置が特許文献１に記載されている。
前記パチンコ機９０は、図６に示すように、機台枠９２に片開き状に取付けられた表枠９４と、この表枠９４に片開き状に取付けられたガラス枠９６とを備えている。
表枠９４の回動自由端側には、その表枠９４の施錠に使用される上下一対の係合爪９４ｋと、それらの係合爪９４ｋを施錠位置と解錠位置との間で移動させる可動錠板（図示省略）が装着されている。
また、ガラス枠９６の回動自由端側には、そのガラス枠９６の施錠に使用される係合爪部材９６ｋが施錠位置と解錠位置との間で移動可能に装着されている。
さらに、ガラス枠９６の回動自由端側には、表枠９４の前記可動錠板等あるいはガラス枠９６の係合爪部材９６ｋを施錠位置から解錠位置までスライドさせるためのシリンダ錠９８が装着されている。
【０００３】
【特許文献１】特開２００１−１３７５１２号公報
【発明の開示】
【発明が解決しようとする課題】
【０００４】
上記したパチンコ機の施錠装置によると、ガラス枠９６の施錠装置の可動部分、即ち、係合爪部材９６ｋはそのガラス枠９６に装着されており、表枠９４の施錠装置の可動部分、即ち、可動錠板及び係合爪９４ｋはその表枠９４に装着されている。このため、ガラス枠９６及び表枠９４における施錠装置の可動部分を収納するために必要なスペース分だけ表枠９４の遊技盤９９の取付けスペースが狭められる。したがって、表枠９４に大型の遊技盤９９を取付けるのが難しいという問題がある。
本発明は、上記問題点を解決するためになされたものであり、本発明の技術的課題は、施錠装置における可動部分の取付け構造を改善して、表枠の遊技盤の取付けスペースを大きく取れるようにすることである。
【課題を解決するための手段】
【０００５】
上記した課題は、各請求項の発明によって解決される。
請求項１の発明は、パチンコ機の機台枠に片開き状に取付けられた表枠と、この表枠に片開き状に取付けられたガラス枠とを備え、錠本体を一方向に回動させてそのガラス枠の解錠を行い、前記錠本体を逆方向に回動させて表枠の解錠を行うパチンコ機の施錠装置であって、前記機台枠に装着されており、前記錠本体の一方向の回動力を受けて施錠位置から解錠位置まで弾性力に抗してスライドし、前記ガラス枠の施錠用の係合爪を解錠方向に移動させる第１可動錠板と、同じく前記機台枠に装着されており、前記錠本体の逆方向の回動力を受けて施錠位置から解錠位置まで弾性力に抗してスライドし、前記表枠の施錠用の係合爪と前記ガラス枠の施錠用の係合爪とを解錠方向に移動させる第２可動錠板とを有していることを特徴とする。
【０００６】
本発明によると、一般的に表枠等に装着されているガラス枠の施錠用の係合爪と第１可動錠板、及び表枠の施錠用の係合爪と第２可動錠板が機台枠側に装着される構成である。このため、表枠側に施錠装置の可動錠板、係合爪等の可動部分を取付けるためのスペースが不要になり、その分だけ表枠の遊技盤等の取付けスペースを広くできる。したがって、表枠に大型の遊技盤を取付けることが可能になる。
なお、表枠の解錠を行う際には、第２可動錠板によって表枠の施錠用の係合爪とガラス枠の施錠用の係合爪とが同時に解錠方向に移動する。即ち、表枠の解錠とガラス枠の解錠とが同時に行われるようになるため、機台枠に装着されているガラス枠の施錠用の係合爪で表枠の解錠が妨げられることがない。
【０００７】
請求項２の発明によると、ガラス枠の施錠用の係合爪は、第１可動錠板あるいは第２可動錠板が施錠位置から解錠位置までスライドする際に前記第１可動錠板あるいは第２可動錠板と係合し、前記第１可動錠板あるいは第２可動錠板が解錠位置から施錠位置まで戻される際にその係合が解除される構成であり、前記第１可動錠板及び第２可動錠板との係合が解除された状態で、前記ガラス枠の施錠用の係合爪は弾性力により前記解錠位置から施錠位置まで戻される構成であることを特徴とする。
請求項３の発明によると、表枠とガラス枠との間には、前記表枠から前記ガラス枠を引き開けられるように、そのガラス枠を人力よりも弱い力で閉状態に保持可能な保持機構が設けられていることを特徴とする。このため、表枠の解錠が行われたときに、その表枠からガラス枠が意に反して開くような不具合がない。
【発明の効果】
【０００８】
本発明によれば、表枠における遊技盤等の取付けスペースを広くできるようになるため、表枠に大型の遊技盤の取付けが可能になる。
【発明を実施するための最良の形態】
【０００９】
以下、図１から図５に基づいて、本発明の実施形態１に係るパチンコ機の施錠装置の説明を行う。ここで、図１は本実施形態に係る施錠装置を備えるパチンコ機の枠体の前方斜視全体図、図２は本実施形態に係る施錠装置の可動部分の全体斜視図、図３は前記可動部分の部分拡大斜視図である。図４は保持機構の概略斜視図、図５は錠本体（シリンダ錠）の分解斜視図である。なお、パチンコ機の幅方向をＸ方向、前後方向をＹ方向、高さ方向をＺ方向として図示する。
【００１０】
パチンコ機１は、図１に示すように、略方形枠状に形成されて本体ケースとなる機台枠２を備えている。機台枠２の前面側には、ヒンジ機構２ｈを介して遊技盤等の支持枠３（以下、表枠３という）が扉状に開閉可能に取付けられている。表枠３は図示されていない遊技盤や制御装置等、パチンコ機の主要部品が取付けられる枠であり、その表枠３の前面にヒンジ機構３ｈを介して片開き状にガラス枠５が取付けられている。また、このガラス枠５の下部側に、玉受け皿等を有する前板（図示省略）が片開き状に取付けられている。
機台枠２には、表枠３の回動自由端側に対応する右内壁面２ｅに施錠装置１０の可動部分２０が装着されている。施錠装置１０は、機台枠２に対する表枠３の施錠とガラス枠５の施錠とを行う装置であり、その可動部分２０は機台枠２の右内壁面２ｅに沿って縦に装着されている。施錠装置１０の可動部分２０は、図２、３に示すように、ガラス枠５の施錠用に使用される上下一対の第１係合爪２１と、それらの第１係合爪２１を解錠動作させる第１可動錠板２３とを備えている。
【００１１】
上下一対の第１係合爪２１は、図１に示すように、表枠３の上下の挿通開口３ｕにそれぞれ通された状態で、ガラス枠５の裏側に形成された第１受け金具１５に対して上方から掛けられるように構成されている（図１の一点鎖線参照）。各々の第１係合爪２１には、図２、図３に示すように、先端部分の下側に傾斜面２１ｋが形成されており、その傾斜面２１ｋより中央寄りの位置にガラス枠５の第１受け金具１５と係合可能な切欠き２１ｃが形成されている。
また、各々の第１係合爪２１は、その略中央部が第１ロックピン２１ｒによって機台枠２の右内壁面２ｅに上下回動可能な状態で連結されている。さらに、各々の第１係合爪２１の基端部は、連結ピン２１ｘによって同じく上下回動可能な状態で縦型短板２２に連結されている。なお、図３（Ｂ）は、第２可動錠板３４（後記する）の上端部を図示省略することで上側の縦型短板２２の全体が現れるようにしている。
【００１２】
上側の縦型短板２２には、図３（Ｂ）に示すように、上端部にバネ受け２２ｂが形成されており、そのバネ受け２２ｂに縦型短板２２を引き上げる方向に付勢された第１バネ２５の下端が掛けられている。そして、その第１バネ２５の上端が機台枠２の右内壁面２ｅに形成された第１バネ受け２ｆに掛けられている。このため、上側の第１係合爪２１は、上側の縦型短板２２が第１バネ２５のバネ力によって上限位置まで引き上げられることで、第１ロックピン２１ｒの回りを図中右方向に回動し、ガラス枠５の第１受け金具１５との係合可能な位置（施錠位置）に保持される（図２、図３参照）。
上側の縦型短板２２の下端部には縦長孔２２ｈが形成されており、その縦長孔２２ｈに第１可動錠板２３の連結ピン２３ｕが通されている。
【００１３】
下側の縦型短板２２の中央下部には、図２（Ａ）に示すように、後端側にバネ受け２２ｂが形成されており、そのバネ受け２２ｂに縦型短板２２を引き上げる方向に付勢された第２バネ２６の下端が掛けられている。そして、第２バネ２６の上端が機台枠２の右内壁面２ｅに設けられた第２バネ受け２ｊに掛けられている。このため、下側の第１係合爪２１は、下側の縦型短板２２が第２バネ２６のバネ力によって上限位置まで引き上げられることで、第１ロックピン２１ｒの回りを図中右回動し、ガラス枠５の第１受け金具１５との係合可能な位置（施錠位置）に保持される。
下側の縦型短板２２の上端部には縦長孔２２ｈ（図示省略）が形成されており、その縦長孔に第１可動錠板２３の連結ピン２３ｕ（図示省略）が通されている。
【００１４】
第１可動錠板２３は、シリンダ錠５０（後記する）の左回転力を受けて下方にスライドし、上下の縦型短板２２を第１バネ２５及び第２バネ２６のバネ力に抗して下方にスライドさせる働きをする。これによって、上下の第１係合爪２１は、第１ロックピン２１ｒの回りを図中左回動し、それらの第１係合爪２１の先端部分が上方に移動することでガラス枠５の解錠が行われる。
第１可動錠板２３には、前述のように、縦型短板２２の縦長孔２２ｈに通される連結ピン２３ｕが上端部と下端部とに設けられている。また、第１可動錠板２３の下部近傍位置には、図２（Ａ）に示すように、前端側にバネ受け２３ｂが形成されており、そのバネ受け２３ｂに第１可動錠板２３を引き上げる方向に付勢された第３バネ２７の下端が掛けられている。そして、第３バネ２７の上端が機台枠２の右内壁面２ｅに設けられた第３バネ受け２ｍに掛けられている。
【００１５】
これによって、第１可動錠板２３は第３バネ２７のバネ力で上限位置に保持されており、この状態で、図３（Ｂ）に示すように、上下の連結ピン２３ｕは上下の縦型短板２２に形成された縦長孔２２ｈの下端に当接している。したがって、この状態から第１可動錠板２３が下方にスライドすると上下の縦型短板２２が第１可動錠板２３の引っ張られて下方にスライドし、上下の第１係合爪２１の先端部分が上方に回動する。また、第１可動錠板２３が上限位置に保持されている状態で、上下の縦型短板２２は第１可動錠板２３に対して縦長孔２２ｈの長さ分だけ下方にスライドが可能となる（図３（Ｂ）参照）。このため、上下の第１係合爪２１の先端部分が上向きの力を受けると、それらの第１係合爪２１は第１可動錠板２３と無関係に図中左方向（解錠方向）に回動可能となる。
【００１６】
第１可動錠板２３の中央下部には、図２（Ａ）（Ｂ）に示すように、その後端側に受け板２３ｐが直角に折り曲げ成形されている。そして、その受け板２３ｐの中央よりも上側に、円弧形長孔２３ｎが形成されている（図２（Ｂ参照））。円弧長孔２３ｎは、シリンダ錠５０の解錠ピン５２が通される長孔であり、そのシリンダ錠５０が左回転方向にキー操作されて解錠ピン５２が下方に移動すると、その解錠ピン５２が円弧形長孔２３ｎの下端に掛けられ、第１可動錠板２３は下方にスライドするようになる。
シリンダ錠５０は、キー操作により、ガラス枠５の解錠及び表枠３の解錠を行う部材であり、図１に示すように、ガラス枠５の回動自由端側に取付けられている。シリンダ錠５０は、図５に示すように、ガラス枠５に固定されるベース５３と、そのベース５３に取付けられる錠本体５１とを備えている。
【００１７】
錠本体５１には、キー操作により左右に回転可能な回転軸５１ｐが設けられており、その回転軸５１ｐの先端に小判型のカム５１ｋが直角に固定されている。さらに、前記カム５１ｋの表面（回転軸５１ｐの反対側）には、回転軸５１ｐに対して偏心した状態で解錠ピン５２が固定されている。このため、回転軸５１ｐが回転すると、解錠ピン５２は偏心分Ｒを半径とする円に沿って円弧状に移動するようになる。
解錠ピン５２は、ベース５３に沿って上下動可能なスライド５５の前面開口５５ｘに通されている。前面開口５５ｘの下辺は扁平Ｖ字形に形成されており、その下辺で解錠ピン５２を受けることができるように構成されている。スライド５５は、バネ（図示省略）の力で常に上方向の力を受けており、開口５５ｘの下辺中央Ｔで解錠ピン５２を上限中央位置まで押し上げている。
【００１８】
ここで、本実施形態に係る施錠装置１０では、図５に示すシリンダ錠５０を矢印方向に90°回転させた状態でガラス枠５に取付けている。このため、錠本体５１がキー操作されない状態では、解錠ピン５２はスライド５５の開口５５ｘとバネ（図示省略）の力とで中央位置（基準位置）に保持されている。そして、錠本体５１が左回転方向にキー操作されることで、解錠ピン５２はバネ力に抗してスライド５５を動かしながら、円弧状に下方向に移動する。また、錠本体５１が右回転方向にキー操作されることで、解錠ピン５２はバネ力に抗してスライド５５を動かしながら、円弧状に上方向に移動する。
シリンダ錠５０の回転軸５１ｐと解錠ピン５２は、ガラス枠５及び表枠３が閉じられた状態で、図１に示すように、表枠３の中央開口３ｃに通される。さらに、表枠３の中央開口３ｃに通されたシリンダ錠５０の解錠ピン５２は、上記した第１可動錠板２３の受け板２３ｐの円弧形長孔２３ｎと後記する第２可動錠板３４の受け板３４ｐの円弧形長孔３４ｎとに通される。
【００１９】
第２可動錠板３４は、図２（Ａ）に示すように、第１可動錠板２３の外側で機台枠２の右内壁面２ｅに沿って上下スライド可能に構成されている。第２可動錠板３４は、シリンダ錠５０の右回転力を受けて上方にスライドし、表枠３の施錠用に使用される上下一対の第２係合爪３２を図中右回動させて、それらの第２係合爪３２の先端部分を下方に移動させる。
上下一対の第２係合爪３２は、図１に示すように、表枠３の裏側に形成された第２受け金具１３に対して下方から掛けられるように構成されている（図１の一点鎖線参照）。各々の第２係合爪３２には、図２、図３に示すように、先端部分の上側に傾斜面３２ｋが形成されており、その傾斜面３２ｋより中央寄りの位置に表枠３の第２受け金具１３と係合可能な切欠き３２ｃが形成されている。
また、各々の第２係合爪３２は、その略中央部が第２ロックピン３２ｒによって機台枠２の右内壁面２ｅに固定されたガイド金具３３に上下回動可能な状態で連結されている。さらに、各々の第２係合爪３２の基端部は、連結ピン（図示省略）によって同じく上下回動可能な状態で上記した第２可動錠板３４に連結されている。
【００２０】
第２可動錠板３４の上端部は、図２（Ａ）に示すように、上側の第２係合爪３２の位置から上方に突出しており、その第２可動錠板３４の突出端の前側にガラス枠５の施錠用の第１係合爪２１を押上げる上部押上げ片３４ｕが形成されている。また、第２可動錠板３４の中央部には、図２（Ｂ）に示すように、後端側に受け板３４ｐが直角に折り曲げ成形されている。そして、その受け板３４ｐの中央よりも下側にシリンダ錠５０の解錠ピン５２が通される円弧形長孔３４ｎが形成されている。このため、シリンダ錠５０が右回転方向にキー操作されて解錠ピン５２が上方に移動すると、その解錠ピン５２が円弧形長孔３４ｎの上端に掛けられて第２可動錠板３４は上方にスライドするようになる。
第２可動錠板３４の中央下部には、前端側にガラス枠５の施錠用の第１係合爪２１を押上げる下部押上げ片３４ｄが形成されている。また、第２可動錠板３４の下端部近傍には、バネ受け３４ｆが形成されており、そのバネ受け３４ｆに第２可動錠板３４を引き下げる方向に付勢された第４バネ３９の上端が掛けられている。そして、第４バネ３９の下端が下側のガイド金具３３に設けられた第４バネ受け３３ｂに掛けられている。このため、上下の第２係合爪３２は、第２可動錠板３４が第４バネ３９のバネ力で下方に移動することで、第２ロックピン３２ｒの回りを上方に回動（図中左回動）し、第２可動錠板３４が下限位置に到達した段階で、表枠３の第２受け金具１３と係合可能な位置（施錠位置）に保持される。
【００２１】
次に、本実施形態に係るパチンコ機１の施錠装置１０の動作説明を行う。
先ず、表枠３の施錠は、その表枠３を閉じることで自動的に行われる。即ち、表枠３を閉じる際に、表枠３の上下の第２受け金具１３が機台枠２側に設けられた上下の第２係合爪３２の傾斜面３２ｋに当接し、それらの傾斜面３２ｋを押圧する。これによって、上下の第２係合爪３２は第２受け金具１３から押し下げ力を受けて下方に回動するとともに、上下の第２係合爪３２の回動に伴って第２可動錠板３４が第４バネ３９の力に抗して上方に移動する。そして、表枠３の第２受け金具１３が第２係合爪３２の傾斜面３２ｋから切欠き３２ｃに到達した状態で、第２可動錠板３４が第４バネ３９の力で下方に移動し、第２係合爪３２が上方に回動して、その切欠き３２ｃが第２受け金具１３に掛けられる。これによって、表枠３の施錠が行われる。
【００２２】
同様に、ガラス枠５の施錠は、その表枠３０を閉じることで自動的に行われる。即ち、ガラス枠５を閉じる際に、ガラス枠５の上下の第１受け金具１５が機台枠２側に設けられた上下の第１係合爪２１の傾斜面２１ｋに当接し、それらの傾斜面２１ｋを押圧する。これによって、上下の第１係合爪２１は第１受け金具１５から押し上げ力を受け、第１バネ２５及び第２バネ２６の力に抗して上方に回動する。そして、ガラス枠５の第１受け金具１５が第１係合爪２１の傾斜面２１ｋから切欠き２１ｃに到達した状態で、第１係合爪２１は第１バネ２５あるいは第２バネ２６の力で下方に回動し、その切欠き２１ｃが第１受け金具１５に掛けられる。これによって、ガラス枠５の施錠が行われる。
【００２３】
ガラス枠５の解錠はシリンダ錠５０のキー操作によって行なわれる。即ち、シリンダ錠５０を左回転方向にキー操作することで、解錠ピン５２が下方に円弧状に移動し、その解錠ピン５２が円弧形長孔２３ｎの下端に掛けられることで第１可動錠板２３が第３バネ２７の力に抗して下方にスライドする。これによって、上下の縦型短板２２が第１可動錠板２３に引っ張られて第１バネ２５、第２バネ２６のバネ力に抗して下方にスライドし、上下の第１係合爪２１が上方に回動（図中左回動）する。これによって、第１係合爪２１の切欠き２１ｃが第１受け金具１５から外れ、ガラス枠５の解錠が行われる。
【００２４】
また、ガラス枠５が施錠されている状態で、表枠３の解錠を行う場合には、シリンダ錠５０を右回転方向にキー操作することにより行う。即ち、シリンダ錠５０を右回転方向にキー操作することで、解錠ピン５２が上方に円弧状に移動し、その解錠ピン５２が第２可動錠板３４の円弧形長孔３４ｎの上端に掛けられることで、第２可動錠板３４が第４バネ３９の力に抗して上方にスライドする。これによって、上下の第２係合爪３２が下方に回動（図中右回動）し、それらの第２係合爪３２の切欠き３２ｃが第２受け金具１３から外れ、表枠３の解錠が行われる。
また、第２可動錠板３４が上方にスライドすることで、その第２可動錠板３４の上部押上げ片３４ｕと下部押上げ片３４ｄとがそれぞれ上下の第１係合爪２１を押上げる。これによって、第１係合爪２１の切欠き２１ｃが第１受け金具１５から外れ、ガラス枠５の解錠が行われる。
即ち、表枠３の解錠時にはガラス枠５の解錠も同時に行われるため、表枠３をスムーズに開放できるようになる。
【００２５】
ここで、表枠３とガラス枠５との間には、図４に示すように、表枠３からガラス枠５を引き開けられるように、そのガラス枠５を人力よりも弱い力で閉状態に保持可能な保持機構６０が設けられている。保持機構６０は、ガラス枠５の裏面に取付けられた菱形状の突起である固定片６２と、表枠３の表面に取付けられて、固定片６２を左右両側から挟んで保持する保持部６４とから構成されている。保持部６４は、左右一対のローラ６４ｒと、両ローラ６４ｒの外周面を互いに押付ける方向に付勢された弾性体（図示省略）とを備えている。
表枠３に対してガラス枠５が閉じられると、表枠３の保持部６４の両ローラ６４ｒ間にガラス枠５の固定片６２が押し込まれ、ガラス枠５は弾性体の弾性力で閉状態に保持される。このため、表枠３の解錠と同時にガラス枠５の解錠が行われても、ガラス枠５が意に反して表枠３から開くような不具合はない。
なお、表枠３からガラス枠５を開く時には、前記弾性体の弾性力以上の力でガラス枠５を開けば、固定片６２が保持部６４の両ローラ６４ｒ間から引き抜かれるようになる。
なお、弾性力を利用する保持機構６０の例を示したが、弾性体の代わりに磁石等を使用することも可能である。
【００２６】
このように、本実施形態に係るパチンコ機１の施錠装置１０によると、従来一般的に表枠３等に装着されている第１係合爪２１と第１可動錠板２３、及び第２係合爪３２と第２可動錠板３４が機台枠２側に装着される構成である。このため、表枠３側に施錠装置１０の可動錠板２３，３４、係合爪２１，３２等の可動部分を取付けるためのスペースが必要なくなり、その分だけ表枠３の遊技盤等の取付けスペースを広くできる。したがって、表枠３に大型の遊技盤を取付けることが可能になる。
なお、本実施形態では、シリンダ錠５０をガラス枠５に取付ける例を示したが、機台枠２に取付けることも可能である。また、シリンダ錠５０の取付け高さを変え、それに合わせて第１可動錠板２３及び第２可動錠板３４の円弧形長孔２３ｎ，３４ｎの位置を変えることも可能である。
【図面の簡単な説明】
【００２７】
【図１】本発明の実施形態１に係る施錠装置を備えるパチンコ機の枠体の前方斜視全体図（分解図）である。
【図２】本実施形態に係る施錠装置の可動部分の全体斜視図（Ａ図）、Ａ図のB部拡大分解図（Ｂ図）である。
【図３】施錠装置の可動部分の部分拡大斜視図（Ａ図、Ｂ図）である。
【図４】保持機構の概略斜視図である。
【図５】シリンダ錠の分解斜視図である。
【図６】従来の施錠装置を表す分解斜視図である。
【符号の説明】
【００２８】
２      機台枠
３      表枠
５      ガラス枠
２１    第１係合爪（ガラス枠の施錠用の係合爪）
２３    第１可動錠板
３２    第２係合爪（表枠の施錠用の係合爪）
３４    第２可動錠板
３４ｕ  上部押上げ片
３４ｄ  下部押上げ片
５０    シリンダ錠（錠本体）
６０    保持機構
【図１】
2006136616.tif 000003
【図２】
2006136616.tif 000004
【図３】
2006136616.tif 000005
【図４】
2006136616.tif 000006
【図５】
2006136616.tif 000007
【図６】
2006136616.tif 000008